(57)【要約】【課題】体が小さい者が着用してもだぶつきにくい作業服を提供する。【解決手段】作業服１は、上端に首を通す開口部１７を有し、着用者の胸部、胴部、及び腰部を収容する胴筒１１と、胴筒１１に設けられ、胴筒１１を上下方向に開閉可能に連結する開閉部材１６と、胴筒１１の上部に設けられ、着用者の腕を収容する一対の腕筒１２と、胴筒１１の下端に接続され、着用者の脚を収容する脚筒１４と、胴筒１１及び脚筒１４に少なくとも２本、横方向に設けられる伸縮性部材（腰部伸縮性部材２１と、胸部伸縮性部材２２と、を合わせて単に伸縮性部材という。）と、を備える。【選択図】図１
0003221894.tif 000002
【実用新案登録請求の範囲】
【請求項１】
上端に首を通す開口部を有し、着用者の胸部、胴部、及び腰部を収容する胴筒と、
前記胴筒に設けられ、前記胴筒を上下方向に開閉可能に連結する開閉部材と、
前記胴筒の上部に設けられ、前記着用者の腕を収容する一対の腕筒と、
前記胴筒の下端に接続され、前記着用者の脚を収容する脚筒と、
前記胴筒に少なくとも２本、横方向に設けられる伸縮性部材と、
を備える作業服。
【請求項２】
前記腕を収容する腕筒は、
前記腕を横方向に周回するように配置される腕部伸縮性部材をさらに備える請求項１に記載の作業服。
【請求項３】
前記脚筒は、
脚を横方向に周回するように配置される脚部伸縮性部材をさらに備える請求項１に記載の作業服。
【請求項４】
前記伸縮性部材は、
前記胴筒に、横方向に３本以上設けられる請求項１に記載の作業服。
【請求項５】
前記腕部伸縮性部材は、
前記腕筒に、横方向に２本以上設けられる請求項２に記載の作業服。
【請求項６】
前記脚部伸縮性部材は、
前記脚筒に、横方向に２本以上設けられる請求項３に記載の作業服。
【請求項７】
前記伸縮性部材は、
前記胴筒に、段差を付けて設けられる請求項１に記載の作業服。
【請求項８】
前記伸縮性部材は、
二つ以上に分断されて設けられる請求項１に記載の作業服。
【請求項９】
前記伸縮性部材は、
二重以上に重複されて設けられる請求項１に記載の作業服。
【請求項１０】
前記腕部伸縮性部材は、
二つ以上に分断されて設けられる請求項２に記載の作業服。
【請求項１１】
前記腕部伸縮性部材は、
二重以上に重複されて設けられる請求項２に記載の作業服。
【請求項１２】
前記脚部伸縮性部材は、
二つ以上に分断されて設けられる請求項３に記載の作業服。
【請求項１３】
前記脚部伸縮性部材は、
二重以上に重複されて設けられる請求項３に記載の作業服。
【請求項１４】
前記腕部伸縮性部材は、
前記腕筒に、横方向に段差を付けて２本以上設けられる請求項２に記載の作業服。
【請求項１５】
前記脚部伸縮性部材は、
前記脚筒に、横方向に段差を付けて２本以上設けられる請求項３に記載の作業服。
【請求項１６】
前記伸縮性部材は、
伸縮材、紐、及びベルトから一つ以上選ばれるものを用いて形成される請求項１から請求項１５のいずれか１項に記載の作業服。
【請求項１７】
前記腕部伸縮性部材は、
伸縮材、紐、及びベルトから一つ以上選ばれるものを用いて形成される請求項２、請求項５、請求項１０、及び請求項１１のいずれか１項に記載の作業服。
【請求項１８】
前記脚部伸縮性部材は、
伸縮材、紐、及びベルトから一つ以上選ばれるものを用いて形成される請求項３、請求項６、請求項１２、及び請求項１３のいずれか１項に記載の作業服。
【考案の詳細な説明】
【技術分野】
【０００１】
本考案は、作業服に関するものである。
【背景技術】
【０００２】
作業服は着用者が体を動かしやすいように、着用者の体の大きさに合ったサイズのものを着用することが望ましい、
しかし、例えば原子力発電所の作業者が着用する防護服などの作業服は、様々なサイズのものを製造すると製造コストが上がり、調達価格も結果的に高いものとなる。また、１日に数千人が着用するため、配備する際のサイズ毎の数のバランスを調整するのが難しい。
【０００３】
そこで、サイズがやや大きめではあるが、体の小さい者も着用できるフリーサイズのもの一種類のみ、或いはサイズの種類を少なくして製造して製造コストを下げることが考えられる。
【０００４】
従来のフリーサイズの作業服は、脇から腰に掛けてゴムひものような伸縮体を縫い付けたり（例えば、特許文献１。）、肩から腕にかけて、及び腰と股から足首に掛けて伸縮体を縫い付けたり（例えば、特許文献２。）したものがあった。
【０００５】
しかし、いずれの作業服においても、胴の長さが長い場合には腹部や背部において作業服がだぶついてしまい、作業性の悪いものとなっていた。
【先行技術文献】
【特許文献】
【０００６】
【特許文献１】実用新案登録第３１９８７９４号公報
【特許文献２】特許第４５４０２７１号公報
【考案の概要】
【考案が解決しようとする課題】
【０００７】
本考案が解決しようとする課題は、体が小さい者が着用してもだぶつきにくい作業服を提供することである。
【課題を解決するための手段】
【０００８】
本考案は、上端に首を通す開口部を有し、着用者の胸部、胴部、及び腰部を収容する胴筒と、胴筒に設けられ、胴筒を上下方向に開閉可能に連結する開閉部材と、胴筒の上部に設けられ、着用者の腕を収容する一対の腕筒と、胴筒の下端に接続され、着用者の脚を収容する脚筒と、胴筒に少なくとも２本、横方向に設けられる伸縮性部材と、を備える作業服を提供する。
【考案の効果】
【０００９】
本考案によれば、体が小さい者が着用してもだぶつきにくい作業服を提供することができる。
【図面の簡単な説明】
【００１０】
【図１】作業服の正面図。
【図２】作業服の背面図。
【図３】たくし上げ前の図１に示す作業服のＡ-Ａ部分断面図。
【図４】たくし上げた状態の図１に示す作業服のＡ-Ａ部分断面図。
【図５】胸部伸縮性部材を複数設けた場合の、たくし上げ前の図１に示す作業服のＡ-Ａ部分断面図。
【図６】胸部伸縮性部材を複数設けた場合の、たくし上げた状態の図１に示す作業服のＡ-Ａ部分断面図。
【図７】第１の応用例に係る作業服の正面図。
【図８】第１の応用例に係る作業服の背面図。
【図９】第２の応用例に係る作業服の正面図。
【図１０】第２の応用例に係る作業服の背面図。
【図１１】第３の応用例に係る作業服の左側面図。
【図１２】分断された段差腰部伸縮性部材、段差胸部伸縮性部材、段差上部腕部伸縮性部材、段差下部腕部伸縮性部材、段差上部脚部伸縮性部材、及び段差下部脚部伸縮性部材を有する第３の応用例に係る作業服の左側面図。
【図１３】分断された各伸縮性部材を斜めの伸縮性部材によってつないだ第３の応用例に係る作業服の左側面図。
【考案を実施するための形態】
【００１１】
以下、本考案の一実施形態に係る作業服１を、図面を参照しながら詳細に説明する。
【００１２】
図１は本実施形態の作業服１の正面図、図２は作業服１の背面図である。図１及び図２に示すように、作業服１は上着である胴筒１１とズボンに相当する一対の脚筒１４とが上下に繋がった、いわゆる繋ぎ服の形状をなす。
【００１３】
具体的には、作業服１は、筒状に形成され、上端部に首を出すための開口部１７を有し、腕を通す一対の腕筒１２を開口部１７の左右に有する胴筒１１と、胴筒１１の下端に接続され、足を入れる一対の脚筒１４と、を備える。
【００１４】
胴筒１１は、筒状に形成され、着用者の胸部、胴部、及び腰部を収容する。腕筒１２は、筒状に形成され、腕を収容する。
【００１５】
胴筒１１は、平均的な人の胴回りよりやや大きい胴回りを有し、前面に上下方向に開閉可能に連結する開閉部材１６を備える。
【００１６】
開閉部材１６の上端部は開口部１７から、胴筒１１の前面を通って、脚筒１４の付け根辺りまで達する。
【００１７】
開閉部材１６は、左右の襟を開閉可能に止めることができれば、その構成を問わない。開閉部材１６は、例えば線ファスナ、面ファスナ、ボタン、爪などを適宜用いることができる。
【００１８】
胴筒１１は、着用者の腰に相当する位置に、ゴムなどの伸縮材を用いて形成され、開閉部材１６の左近傍から左脇を通り、背面を横切って右脇を通り、開閉部材１６の右近傍に至るように設けられる腰部伸縮性部材２１を有する。
【００１９】
腰部伸縮性部材２１は、平均的な人の腰回りよりやや短めに形成される。従って、腰部伸縮性部材２１は脚筒１４の上下方向の位置決めを行うことが可能である。
【００２０】
なお、腰部伸縮性部材２１は胴筒１１の腰回りに設けられるベルト孔に通される紐やベルトであってもよい。
【００２１】
腕筒１２は、胴筒１１の上部に一対設けられ、平均的な人の腕回りより大きめの腕回りと、平均的な人の腕の長さよりやや長い袖の長さとを有し、手首に相当する先端部分にゴムなどの伸縮材を用いて形成される袖口伸縮部１３を有する。
【００２２】
脚筒１４は、平均的な人の腿回りより大きめの腿回りと、平均的な人の足の長さよりやや長い脚の長さを有し、足首に相当する先端部分にゴムなどの伸縮材を用いて形成される足首伸縮部１５を有する。
【００２３】
脚筒１４は、胴筒１１の下方に接続し、脚を収容する一対の筒状に形成される下肢筒と、を備える。
【００２４】
本実施形態の作業服１はさらに、胴筒１１の開口部１７と腰部伸縮性部材２１との間に、胸部伸縮性部材２２を有する。胸部伸縮性部材２２は、開口部１７と腰部伸縮性部材２１との間に、開閉部材１６を避け、横方向（つまり、横断方向。以下同じ。）に胴筒１１を周回するように設けられる。
【００２５】
胸部伸縮性部材２２は、平均的な人の胸回りよりやや短めに形成される。従って、胸部伸縮性部材２２は胸部伸縮性部材２２をたくし上げることにより余分な長さの胴筒１１を折り返して胴筒１１の長さを調節できる。
【００２６】
なお、胸部伸縮性部材２２は胴筒１１の胸回りに設けられるベルト孔に通される紐やベルトであってもよい。
【００２７】
ここで、たくし上げについて説明する。
【００２８】
図３はたくし上げ前の図１に示す作業服１のＡ-Ａ部分断面図、図４はたくし上げた状態の図１に示す作業服１のＡ-Ａ部分断面図である。図３に示すように、たくし上げ前は胴筒１１の上下方向の長さが長く、作業に支障をきたす場合がある。図４に示すように、長すぎる胴筒１１をたくし上げて折り返し部１１Ａを作ることにより、胴筒１１の上下方向の長さを調節することが可能となり、胴筒１１の長さが長いことによる作業への支障を防止することが可能となる。
【００２９】
本実施形態の作業服１はさらに、胸部伸縮性部材２２を胴筒１１の開口部１７と腰部伸縮性部材２１との間に複数、例えば２本設けることもできる。図５は胸部伸縮性部材２２を複数設けた場合の、たくし上げ前の図１に示す作業服１のＡ-Ａ部分断面図、図６は胸部伸縮性部材２２を複数設けた場合の、たくし上げた状態の図１に示す作業服１のＡ-Ａ部分断面図である。
【００３０】
図５に示すように、隣接する２本の胸部伸縮性部材２２の間は、ある程度の長さ、例えば１０ｃｍ〜２０ｃｍの長さを開けて、互いに平行に設けられる。
【００３１】
図６に示すように、長すぎる胴筒１１をたくし上げる場合には、下方に位置する一方の胸部伸縮性部材２２を上方に移動させてたくし上げ部１１Ｂを設け、上方に位置する他方の胸部伸縮性部材２２を、移動させた一方の胸部伸縮性部材２２の上から被さるように下方に移動させて折り返し部１１Ａを設ける。
【００３２】
このように、胸部伸縮性部材２２を複数、例えば２本設けた場合には、たくし上げた胴筒１１がバタつくのを防止できるという効果がある。
【００３３】
図７は第１の応用例に係る作業服２の正面図、図８は第１の応用例に係る作業服２の背面図である。
【００３４】
本応用例に係る作業服２の構成は、上述の作業服１にフード１８、腕部伸縮性部材２３、及び脚部伸縮性部材２４を設けた以外は、作業服１の構成と同様である。従って、共通する部分の説明を省略する。
【００３５】
フード１８は、開口部１７に接続するように設けられる。フード１８は中に頭が入るくらいの大きさを有し、前面に顔を出す穴である顔孔が設けられる。開閉部材１６の上端部は顔孔の下端部から、胴筒１１の前面を通って、脚筒１４の付け根辺りまで達する。
【００３６】
腕部伸縮性部材２３は、ゴムなどの伸縮材を用いて形成され、着用者の肩と肘の間に、腕筒１２を横方向に周回するように設けられる。腕部伸縮性部材２３は、着用者の肩と肘の間に、間隔をあけて互いに平行に複数設けてもよい。腕部伸縮性部材２３は、着用者の肘と袖口伸縮部１３の間に、１本または、間隔をあけて互いに平行に複数設けてもよい。
【００３７】
腕部伸縮性部材２３は、平均的な人の腕回りよりやや短めに設けられる。従って、腕部伸縮性部材２３は腕部伸縮性部材２３をたくし上げることにより余分な長さの腕筒１２を折り返して腕筒１２の長さを調節できる。
【００３８】
なお、腕部伸縮性部材２３は腕筒１２の腕回りに設けられるベルト孔に通される紐やベルトであってもよい。
【００３９】
脚部伸縮性部材２４は、ゴムなどの伸縮材を用いて形成され、着用者の股と膝の間に、脚筒１４を横方向に周回するように設けられる。脚部伸縮性部材２４は、着用者の股と膝の間に、間隔をあけて互いに平行に複数設けてもよい。脚部伸縮性部材２４は、着用者の膝と足首伸縮部１５の間に、１本または間隔をあけて互いに平行に複数設けてもよい。
【００４０】
脚部伸縮性部材２４は、平均的な人の腿回りよりやや短めに設けられる。従って、脚部伸縮性部材２４は脚部伸縮性部材２４をたくし上げることにより余分な長さの脚筒１４を折り返して脚筒１４の長さを調節できる。
【００４１】
なお、脚部伸縮性部材２４は脚筒１４の腿回りに設けられるベルト孔に通される紐やベルトであってもよい。
【００４２】
図９は第２の応用例に係る作業服３の正面図、図１０は第２の応用例に係る作業服３の背面図である。図９及び図１０に示すように、本応用例に係る作業服３の構成は、第１の応用例に係る作業服２の腕部伸縮性部材２３の代わりに、上部腕部伸縮性部材２３Ａ及び下部腕部伸縮性部材２３Ｂを有し、脚部伸縮性部材２４の代わりに、上部脚部伸縮性部材２４Ａ及び下部脚部伸縮性部材２４Ｂを有する他は、第１の応用例に係る作業服２の構成と同様である。
【００４３】
上部腕部伸縮性部材２３Ａ及び下部腕部伸縮性部材２３Ｂは、着用者の肘に相当する部分を挟んでそれぞれ腕筒１２を横方向に周回するように腕筒１２に設けられる。
【００４４】
上部脚部伸縮性部材２４Ａ及び下部脚部伸縮性部材２４Ｂは、着用者の膝に相当する部分を挟んでそれぞれ脚筒１４を横方向に周回するように脚筒１４に設けられる。
【００４５】
上部腕部伸縮性部材２３Ａ及び下部腕部伸縮性部材２３Ｂを腕筒１２に設けたため、腕筒１２の余分な部分をたくし上げた場合でもバタつきを防止できるという効果がある。また、上部脚部伸縮性部材２４Ａ及び下部脚部伸縮性部材２４Ｂを脚筒１４に設けたため、脚筒１４の余分な部分をたくし上げた場合でもバタつきを防止できるという効果がある。
【００４６】
図１１は、第３の応用例に係る作業服４の左側面図である。第３の応用例に係る作業服４の構成は、第２の応用例に係る作業服３の腰部伸縮性部材２１及び胸部伸縮性部材２２の代わりに段差腰部伸縮性部材２７及び段差胸部伸縮性部材２６を有し、上部腕部伸縮性部材２３Ａ及び下部腕部伸縮性部材２３Ｂの代わりに段差上部腕部伸縮性部材２５Ａ及び段差下部腕部伸縮性部材２５Ｂを有し、上部脚部伸縮性部材２４Ａ及び下部脚部伸縮性部材２４Ｂの代わりに段差上部脚部伸縮性部材２８Ａ及び段差下部脚部伸縮性部材２８Ｂを有する他は、第２の応用例に係る作業服３の構成と同様である。
【００４７】
段差腰部伸縮性部材２７は、着用者の腰に相当する胴筒１１の部分の前面に開閉部材１６を避けるように横方向に延びる段差腰部伸縮性部材前面部と、この段差腰部伸縮性部材前面部よりも上方に配置され、胴筒１１の背面に設けられる段差腰部伸縮性部材背面部と、を有する。段差腰部伸縮性部材前面部と段差腰部伸縮性部材背面部とは、高さが違うため段差がある。
【００４８】
段差腰部伸縮性部材前面部と段差腰部伸縮性部材背面部とは、分断されていてもよいし、図１１に示すように、着用者の脇に相当する胴筒１１の部分において斜めに接続されていてもよい。
【００４９】
段差胸部伸縮性部材２６は、着用者の胸に相当する胴筒１１の部分の前面に開閉部材１６を避けるように横方向に延びる段差胸部伸縮性部材前面部と、この段差胸部伸縮性部材前面部よりも下方に配置され、胴筒１１の背面に設けられる段差胸部伸縮性部材背面部と、を有する。段差胸部伸縮性部材前面部と段差胸部伸縮性部材背面部とは、高さが違うため段差がある。
【００５０】
段差腰部伸縮性部材前面部と段差腰部伸縮性部材背面部とは、分断されていてもよいし、図１１に示すように、着用者の脇に相当する胴筒１１の部分において斜めに接続されていてもよい。
【００５１】
段差胸部伸縮性部材２６と段差腰部伸縮性部材２７とを上述のように設けることにより、着用者が腰をかがめた場合においても、たくし上げた部分が伸びることがなく、再度たくし上げる手間を省くことができるという効果がある。
【００５２】
段差上部腕部伸縮性部材２５Ａ及び段差下部腕部伸縮性部材２５Ｂは、着用者の肘に相当する部分を挟み、段差上部腕部伸縮性部材２５Ａと段差下部腕部伸縮性部材２５Ｂの間の幅が背中側より前側の方が狭くなるように腕筒１２に設けられる。
【００５３】
段差上部腕部伸縮性部材２５Ａ及び段差下部腕部伸縮性部材２５Ｂを上述のように設けることにより、着用者が肘を曲げた場合においても、たくし上げた部分が伸びることがなく、再度たくし上げる手間を省くことができるという効果がある。
【００５４】
段差上部脚部伸縮性部材２８Ａ及び段差下部脚部伸縮性部材２８Ｂは、着用者の膝に相当する部分を挟み、段差上部脚部伸縮性部材２８Ａと段差下部脚部伸縮性部材２８Ｂの間の幅が背中側より前側の方が広くなるように脚筒１４に設けられる。
【００５５】
段差上部脚部伸縮性部材２８Ａと段差下部脚部伸縮性部材２８Ｂとを上述のように設けることにより、着用者が膝を曲げた場合においても、たくし上げた部分が伸びることがなく、再度たくし上げる手間を省くことができるという効果がある。
【００５６】
なお、段差上部腕部伸縮性部材２５Ａ、段差下部腕部伸縮性部材２５Ｂ、段差上部脚部伸縮性部材２８Ａ、及び段差下部脚部伸縮性部材２８Ｂは、無端状に連続していてもよいし、分断されていてもよい。
【００５７】
図１２は、分断された段差腰部伸縮性部材２７、段差胸部伸縮性部材２６、段差上部腕部伸縮性部材２５Ａ、段差下部腕部伸縮性部材２５Ｂ、段差上部脚部伸縮性部材２８Ａ、及び段差下部脚部伸縮性部材２８Ｂを有する第３の応用例に係る作業服４の左側面図である。
【００５８】
図１２に示すように、段差腰部伸縮性部材２７、段差胸部伸縮性部材２６、段差上部腕部伸縮性部材２５Ａ、段差下部腕部伸縮性部材２５Ｂ、段差上部脚部伸縮性部材２８Ａ、及び段差下部脚部伸縮性部材２８Ｂは、それぞれ段差を付けて分断されていてもよい。
【００５９】
図１３は、分断された各伸縮性部材を斜めの伸縮性部材によってつないだ第３の応用例に係る作業服４の左側面図である。
【００６０】
図１３に示すように、段差腰部伸縮性部材２７、段差胸部伸縮性部材２６、段差上部腕部伸縮性部材２５Ａ、段差下部腕部伸縮性部材２５Ｂ、段差上部脚部伸縮性部材２８Ａ、及び段差下部脚部伸縮性部材２８Ｂは、図１２において分断された部分をさらに斜めに伸縮性部材によってつないでもよい。
【００６１】
なお、腰部伸縮性部材２１、胸部伸縮性部材２２、上部腕部伸縮性部材２３Ａ、下部腕部伸縮性部材２３Ｂ、上部脚部伸縮性部材２４Ａ、下部脚部伸縮性部材２４Ｂ、段差腰部伸縮性部材２７、段差胸部伸縮性部材２６、段差上部腕部伸縮性部材２５Ａ、段差下部腕部伸縮性部材２５Ｂ、段差上部脚部伸縮性部材２８Ａ、及び段差下部脚部伸縮性部材２８Ｂは、それぞれ伸縮性部材が途中において二つの部分以上に分断されていてもよいし、二重、或いは三重以上に重複して施された部分を有していてもよい。
【００６２】
以上述べたように、本実施形態の作業服１は、上端に首を通す開口部１７を有し、着用者の胸部、胴部、及び腰部を収容する胴筒１１と、胴筒１１に設けられ、胴筒１１を上下方向に開閉可能に連結する開閉部材１６と、胴筒１１の上部に設けられ、腕を収容する一対の腕筒１２と、胴筒１１の下端に接続され、着用者の脚を収容する脚筒１４と、胴筒１１に少なくとも２本、横方向に設けられる伸縮性部材（以下、腰部伸縮性部材２１と、胸部伸縮性部材２２と、を合わせて単に伸縮性部材という。）と、を備える。
【００６３】
従って、本考案によれば、体が小さい者が着用してもだぶつきにくい作業服を提供することができるという効果がある。
【符号の説明】
【００６４】
１  作業服
２  作業服
３  作業服
４  作業服
１１  胴筒
１１Ａ  返し部
１２  腕筒
１３  袖口伸縮部
１４  脚筒
１５  足首伸縮部
１６  開閉部材
１７  開口部
１８  フード
２１  腰部伸縮性部材
２２  胸部伸縮性部材
２３  腕部伸縮性部材
２４  脚部伸縮性部材
２３Ａ  上部腕部伸縮性部材
２３Ｂ  下部腕部伸縮性部材
２４Ａ  上部脚部伸縮性部材
２４Ｂ  下部脚部伸縮性部材
２５Ａ  段差上部腕部伸縮性部材
２５Ｂ  段差下部腕部伸縮性部材
２６  段差胸部伸縮性部材
２７  段差腰部伸縮性部材
２８Ａ  段差上部脚部伸縮性部材
２８Ｂ  段差下部脚部伸縮性部材
【図１】
0003221894.tif 000003
【図２】
0003221894.tif 000004
【図３】
0003221894.tif 000005
【図４】
0003221894.tif 000006
【図５】
0003221894.tif 000007
【図６】
0003221894.tif 000008
【図７】
0003221894.tif 000009
【図８】
0003221894.tif 000010
【図９】
0003221894.tif 000011
【図１０】
0003221894.tif 000012
【図１１】
0003221894.tif 000013
【図１２】
0003221894.tif 000014
【図１３】
0003221894.tif 000015
【手続補正書】
【提出日】平成31年4月16日(2019.4.16)
【手続補正１】
【補正対象書類名】実用新案登録請求の範囲
【補正対象項目名】請求項１
【補正方法】変更
【補正の内容】
【請求項１】
上端に首を通す開口部を有し、着用者の胸部、胴部、及び腰部を収容する胴筒
と、
前記胴筒に設けられ、前記胴筒を上下方向に沿って開閉する開閉部材と、
前記胴筒の上部に設けられ、前記着用者の腕を収容する一対の腕筒と、
前記胴筒の下端に接続され、前記着用者の脚を収容する脚筒と、
前記胴筒に少なくとも2本、横方向に設けられる伸縮性部材と、
を備える作業服。